(57)【要約】【課題】非使用時はコンパクトに収納でき、開錠用の鍵を探す手間を省け、かつドア等の外側に簡単に設置することができる配達物受け取り袋を提供する。【解決手段】配達物受け取り袋は、配達物を収容するための第１の袋と、非使用時に第１の袋を収納可能な第２の袋と、前記第１の袋内に開口部より配達物を収容した後、該開口部を閉じて施錠可能な施錠手段と、基端が第２の袋に固着され、先端部に抜け止め部材が設けられ、ドア若しくは窓の開閉部又は吊り具に係止可能な係止部材とを備えている。この係止部材は柔軟性を有する帯状材から少なくとも先端部が二枚重ね、長さ方向に沿ってミシン縫いによる複数の区画が形成されており、かつ抜け止め部材よりも先端側に解錠用の鍵の収容部が形成されている。【選択図】図１
2019063338.tif 000002
【特許請求の範囲】
【請求項１】
配達物を収容するための第１の袋と、非使用時に前記第１の袋を収納可能な第２の袋と、前記第１の袋内に開口部より配達物を収容した後、該開口部を閉じて施錠可能な施錠手段と、基端が前記第２の袋に固着され、先端部に抜け止め部材が設けられ、ドア若しくは窓の開閉部又は吊り具に係止可能な係止部材とを備え、
前記係止部材は、柔軟性を有する帯状材から少なくとも先端部が二枚重ね、長さ方向に沿ってミシン縫いによる複数の区画が形成されており、かつ前記抜け止め部材よりも先端側に解錠用の鍵の収容部が形成されていることを特徴とする配達物受け取り袋。
【請求項２】
前記鍵の収容部は前記係止部材の先端近傍において両側辺がミシン縫いされている袋状の鍵収納部であり、該鍵収納部は内部に収容された鍵の先端部のみを露出可能な開口部を有していることを特徴とする請求項１に記載の配達物受け取り袋。
【請求項３】
前記鍵収納部内に収容された前記鍵の基端部が前記鍵収納部に固着されていることを特徴とする請求項２に記載の配達物受け取り袋。
【請求項４】
前記係止部材の先端近傍には、ドア又は窓の内側のノブ若しくはハンドルに掛かり止めするための弾性リング状部材が設けられていることを特徴とする請求項１から３のいずれか１項に記載の配達物受け取り袋。
【請求項５】
受領用印鑑を収納可能であり、前記第１の袋又は前記第２の袋に固着されていると共に前記第１の袋の前記開口部を閉じた状態で該第１の袋の内部に位置するように構成された第３の袋をさらに備えていることを特徴とする請求項１から４のいずれか１項に記載の配達物受け取り袋。
【請求項６】
複数の配達物受け取り袋と、前記複数の配達物受け取り袋が吊り下げ可能な吊り具を有する棚とを備え、
前記複数の前記配達物受け取り袋の各々は、配達物を収容するための第１の袋と、非使用時に前記第１の袋を収納可能な第２の袋と、前記第１の袋内に開口部より配達物を収容した後、該開口部を閉じて施錠可能な施錠手段と、基端が前記第２の袋に固着され、先端部が前記吊り具に係止可能な係止部材とを備え、前記係止部材は柔軟性を有する帯状材から少なくとも先端部が二枚重ね、長さ方向に沿ってミシン縫いによる複数の区画が形成されていることを特徴とする配達物受け取り装置。
【請求項７】
前記係止部材の先端部の前記区画は、解錠用の鍵を収納する袋状の鍵収納部が形成され、前記鍵収納部は、前記鍵の先端部のみが露出可能な開口部を有し、該開口部には前記吊り具に設置する際に施錠するための錠杆挿通穴が設けられ、施錠された状態で前記鍵の先端部が露出不可となるように構成されていることを特徴とする請求項６に記載の配達物受け取り装置。
【請求項８】
前記吊り具に着脱可能に装着され、前記複数の配達物受け取り袋をグループ分けして吊り下げするための仕切り板をさらに備えていることを特徴とする請求項６又は７に記載の配達物受け取り装置。
【発明の詳細な説明】
【技術分野】
【０００１】
本発明は、配達された際に不在であっても配達物の受け取りを可能にする配達物受け取り袋及びこの配達物受け取り袋を備えた配達物受け取り装置に関する。
【背景技術】
【０００２】
近年、インターネット通販の普及により、宅配の配達物が急増している。しかしながら、配達時に、受取人不在で配達完了にできない件数が急増しており、これは配達する側も、配達される側も非常に不便である。再配達する場合は、受取人からすれば時間が無用に拘束されることになるし、宅配業者からすれば再配達による効率の低下をまねく。仕事の関係等で配達時間の約束を守れない受取人も少なくないため、何度も再配達を繰り返して時間のロスが多大となると、配達スピードを業務使命とする宅配業者にとっては深刻な問題となる。
【０００３】
そこで、再配達問題を解決して配達物を効率的に届けるために、受取人不在時にも配達物の受け取りを可能にした配達物受け取り袋が提案されている（例えば、特許文献１）。
【０００４】
特許文献１に記載の配達物受け取り袋は、玄関ドア又は窓などの建造物の開口部に係止して設置されるものであり、配達物を収容するための袋と、この袋内に配達物を収納した後、開口部を結束により閉じると共に施錠可能にされている結束部材と、袋に固着されていてドアや窓などの建造物に係止される係止部とから構成されている。この場合、外出する際に、紐等からなる係止部の先端を建造物の開口部（戸先と戸枠との間）の内側に係止するように配達物受け取り袋をドアの外側に設置する。また、この配達物受け取り袋には、受領印代わりのシールを入れるシール収納部を設けられている。配達員は、配達物を袋に入れ、施錠した後、受領印の代わりにシール収容部からシールを取り出して貼り、これによって配達完了となる。
【０００５】
また、マンション等の集合住宅の場合、共同玄関ホールなどに設置される集合住宅の住人のみを対象とした共同利用の宅配ボックス装置（配達物受け取り装置）も多数提案されている（例えば、特許文献２）。
【先行技術文献】
【特許文献】
【０００６】
【特許文献１】特開平６−２２５８３１号公報
【特許文献２】特開２０１２−７０８００号公報
【発明の概要】
【発明が解決しようとする課題】
【０００７】
特許文献１に記載の配達物受け取り袋においては、ドアや窓等に係止する係止部として紐を用いているため、例えば、配達物受け取り袋を玄関ドアの開閉部に設置する際に、柔軟に変形する紐の先端をドアの内側に係止するように設置することが困難である。また、荷物が配達された場合、帰宅した受取人が荷物を取り出すために開錠する際、開錠用の鍵を探すことが必要となるので利便性が悪い、場合によっては、鍵の置き場所を忘れてしまい、解錠できなくなる可能性もある。また、特許文献１に記載の配達物受け取り袋の場合、受領印代わりのシールを使用するため、シールの作成、手配にコストと時間がかかるという問題点もあった。
【０００８】
また、特許文献２に記載の宅配ボックス装置は、コストが高く、マンション等の集合住宅に後付けする際に、設置場所を確保することが難しいという問題点があった。
【０００９】
従って、本発明は従来技術の上述した問題点を解消するものであり、本発明の目的は、非使用時はコンパクトに収納でき、開錠用の鍵を探す手間を省け、かつドア等の外側に簡単に設置することができる配達物受け取り袋を提供することにある。
【００１０】
本発明の他の目的は、配達物受け取り袋を用いて、低コストでマンション等の集合住宅に設置できる配達物受け取り装置を提供することにある。
【課題を解決するための手段】
【００１１】
本発明によれば、配達物受け取り袋は、配達物を収容するための第１の袋と、非使用時に第１の袋を収納可能な第２の袋と、第１の袋内に開口部より配達物を収容した後、この開口部を閉じて施錠可能な施錠手段と、基端が第２の袋に固着され、先端部に抜け止め部材が設けられ、ドア若しくは窓の開閉部又は吊り具に係止可能な係止部材とを備えている。この係止部材は柔軟性を有する帯状材から少なくとも先端部が二枚重ね、長さ方向に沿ってミシン縫いによる複数の区画が形成されており、かつ抜け止め部材よりも先端側に解錠用の鍵の収容部が形成されている。
【００１２】
このように、係止部材が、柔軟性を有する帯状材から少なくとも先端部が二枚重ね、かつ抜け止め部材よりも先端側に解錠用の鍵の収容部が形成されているため、配達物がない非使用時はコンパクトに収納できると共に、カバンの中やポケットの中又は部屋中で開錠用の鍵を探す手間を省け、かつドア等の外側に簡単に設置することができる。
【００１３】
鍵の収容部は係止部材の先端近傍において両側辺がミシン縫いされている袋状の鍵収納部であり、鍵収納部は内部に収容された鍵の先端部のみを露出可能な開口部を有していることが好ましい。解錠用の鍵を係止部材に内蔵できるため、カバンの中やポケットの中又は部屋中で鍵を探す必要がなく、かつ鍵によるドア等を傷めることを防ぐことができる。また、解錠する際に鍵の先端部のみを開口部から露出させて解錠操作を容易にすることができる。
【００１４】
鍵収納部内に収容された鍵の基端部がこの鍵収納部に固着されていることも好ましい。これにより、鍵収納部の開口部から鍵全体が抜き出すことを防止することができると共に、鍵収納部の開口部を比較的に大きくすることが可能となり、解錠する際に鍵の先端部を鍵収納部から露出させてより容易に操作することができる。
【００１５】
係止部材の先端近傍には、ドア又は窓の内側のノブ若しくはハンドルに掛かり止めするための弾性リング状部材が設けられていることも好ましい。これにより、ドア等の外側に簡単に設置することができる。
【００１６】
受領用印鑑を収納可能であり、第１の袋又は第２の袋に固着されていると共に第１の袋の開口部を閉じた状態でこの第１の袋の内部に位置するように構成された第３の袋をさらに備えていることも好ましい。これにより、受領印代わりのシールを用意する必要がなくなる。
【００１７】
本発明によれば、さらに、配達物受け取り装置は、複数の配達物受け取り袋と、複数の配達物受け取り袋が吊り下げ可能な吊り具を有する棚とを備えている。複数の配達物受け取り袋の各々は、配達物を収容するための第１の袋と、非使用時に第１の袋を収納可能な第２の袋と、第１の袋内に開口部より配達物を収容した後、この開口部を閉じて施錠可能な施錠手段と、基端が第２の袋に固着され、先端部が吊り具に係止可能な係止部材とを備えている。この係止部材は柔軟性を有する帯状材から少なくとも先端部が二枚重ね、長さ方向に沿ってミシン縫いによる複数の区画が形成されている。これにより、形成された区画を利用して配達物受け取り袋を吊り具に取り付けることができ、低コストでマンション等の集合住宅に設置できる。
【００１８】
係止部材の先端部の区画は、解錠用の鍵を収納する袋状の鍵収納部が形成され、この鍵収納部は、鍵の先端部のみが露出可能な開口部を有し、この開口部には吊り具に設置する際に施錠するための錠杆挿通穴が設けられ、施錠された状態で鍵の先端部が露出不可となるように構成されていることも好ましい。これにより、開錠用の鍵を探す手間を省けることができる。
【００１９】
吊り具に着脱可能に装着され、複数の配達物受け取り袋をグループ分けして吊り下げするための仕切り板をさらに備えていることも好ましい。これにより、マンション等の集合住宅において、各階ごとにグループ分けができ、利用者が各自の配達物の有無を容易に判断できる。
【発明の効果】
【００２０】
本発明によれば、配達物受け取り袋として折り畳み可能な袋を用い、しかも係止部材は柔軟性を有する帯状材から少なくとも先端部が二枚重ね、長さ方向に沿ってミシン縫いによる複数の区画が形成されており、かつ抜け止め部材よりも先端側に解錠用の鍵の収容部が形成されていることから、配達物がない非使用時はコンパクトに収納できると共に、カバンの中やポケットの中又は部屋中で開錠用の鍵を探す手間を省け、かつドア等の外側に簡単に設置することができる。
【００２１】
また、本発明によれば、配達物受け取り装置は、複数の配達物受け取り袋と、複数の配達物受け取り袋が吊り下げ可能な吊り具を有する棚とを備えており、複数の配達物受け取り袋の各々は、配達物を収容するための第１の袋と、非使用時に第１の袋を収納可能な第２の袋と、第１の袋内に開口部より配達物を収容した後、この開口部を閉じて施錠可能な施錠手段と、基端が第２の袋に固着され、先端部が吊り具に係止可能な係止部材とを備えている。この係止部材は柔軟性を有する帯状材から少なくとも先端部が二枚重ね、長さ方向に沿ってミシン縫いによる複数の区画が形成されている。これにより、形成された区画を利用して配達物受け取り袋を吊り具に取り付けることができ、低コストでマンション等の集合住宅に設置できる。
【図面の簡単な説明】
【００２２】
【図１】本発明の一実施形態における配達物受け取り袋の構成を概略的に示す斜視図である。
【図２】図１に示した配達物受け取り袋の構成を概略的に示す一部展開図である。
【図３】図１に示した配達物受け取り袋の使用状態（配達物収納状態）を示す斜視図である。
【図４】図１に示した配達物受け取り袋の裏面の構成を示す平面図である。
【図５】図１に示した配達物受け取り袋の係止部材から鍵を露出させた状態を示す部分斜視図である。
【図６】図１に示した配達物受け取り袋の係止部材の他の構成例を概略的に示す部分斜視図である。
【図７】図１に示した配達物受け取り袋の設置時の状態（ドアの内側）を示す斜視図である。
【図８】本発明の配達物受け取り装置の構成例を概略的に示す部分斜視図である。
【図９】図８に示した配達物受け取り装置における配達物受け取り袋の構成を概略的に示す斜視図である。
【図１０】図８に示した配達物受け取り装置における配達物受け取り袋の設置方法を示す図である。
【図１１】本発明の配達物受け取り装置の他の構成を概略的に示す斜視図である。
【図１２】本発明の配達物受け取り袋の他の構成を概略的に示す斜視図である。
【図１３】本発明の配達物受け取り袋の係止部材の他の構成を概略的に示す斜視図である。
【図１４】図８に示した配達物受け取り装置における配達物受け取り袋の他の構成を概略的に示す図である。
【図１５】図８に示した配達物受け取り装置における配達物受け取り袋のさらに他の構成を概略的に示す図である。
【図１６】本発明の配達物受け取り袋のさらに他の構成を概略的に示す斜視図である。
【発明を実施するための形態】
【００２３】
以下、本発明に係る配達物受け取り袋及び配達物受け取り装置の実施形態を、図を参照して説明する。
【００２４】
図１は本発明の一実施形態における配達物受け取り袋１００の外観を示しており、図２は配達物受け取り袋１００の第２の袋２０の蓋部２２が開いた状態を示しており、図３は配達物受け取り袋１００の使用状態（配達物収納状態）を示している。図４は配達物受け取り袋１００の第２の袋２０の裏面（印刷面）を示しており、図５は係止部材４０から鍵を露出させた状態を示している。図６は係止部材４０の他の構成例を示している。図７は配達物受け取り袋１００の設置時、ドアＤの内側における状態を示している。
【００２５】
図１から図７に示すように、配達物受け取り袋１００は、配達物Ｐを収容するための第１の袋１０と、非使用時に折り畳みされた第１の袋１０を収納するための第２の袋２０と、第１の１０内に配達物を収納した後、開口部１１を結束により閉じると共に施錠可能に構成されている結束部材３０と、基端が第２の袋２０に固着され、先端に近い位置に抜け止め部材４２が設けられ、ドア若しくは窓の開閉部又は吊り具に係止可能な係止部材４０と、印鑑Ｈを収納する第３の袋５０とを備えている。
【００２６】
第１の袋１０は、柔軟性を有する素材のシート（例えば、布材シート）を裁断及びミシン縫いすることにより、通常の配達物を内部に収容できる大きさに形成されている。この第１の袋１０は、開口部１１を有しており、この開口部１１の周囲には、結束部材３０が内部を挿通可能な保持部１２が形成されている。保持部１２は、第１の袋１０の開口部１１を取り囲むように帯状に設けられ、保持部１２の一箇所に開口１３が設けられている。この第１の袋１０は第２の袋２０に連結されている。即ち、この第１の袋１０の開口部１１の周縁の一部が、第２の袋２０の開口部２１の周縁の一部と共通となるように構成されている。
【００２７】
第２の袋２０は、柔軟性を有する素材のシート（例えば、布材シート）を裁断及びミシン縫いすることにより、第１の袋１０を折り畳みされた状態で収納できる大きさに形成されている。この第２の袋２０は、開口部２１と、折り曲げによりこの開口部２１を覆う蓋部２２とを有している。蓋部２２にはホックボタンの凹部２３ａが設けられており、第２の袋２０の本体にはホックボタンの凸部２３ｂが設けられている。この蓋部２２により第１の袋１０が収納されている状態で開口部２１が覆われて図１に示す非使用状態となる。また、第２の袋２０の本体の裏面には、取り扱い方法、注意事項等が印刷されており、配達員はこの取り扱い方法に従って配達物Ｐを第１の袋１０に入れて施錠する。さらに、第２の袋２０のこの裏面には、白地で使用者が名前又は部屋番号等を書き込むことができる表示部２４が設けられている。
【００２８】
結束部材３０は、施錠手段として配達物Ｐが収容された第１の袋１０の開口部１１を結束により閉じると共に施錠可能に構成されている。結束部材３０は、例えば鎖材からなり、この鎖材の環が南京錠等の錠杆を挿通可能に形成されている。鎖材の材質としては、金属、プラスチック等、充分な強度を有するものを用いることが好ましい。なお、結束部材３０として、平帯状の紐材を用いても良い。その場合、この紐材に錠杆を挿通可能な複数の孔を設けるようにしても良い。
【００２９】
係止部材４０は、二枚重ねされた柔軟性を有する帯状の布材から構成されている。この布材には、長さ方向に沿ってミシン縫いによる複数の区画４１ａ、４１ｂ、４１ｃ、４１ｄ及び４１ｅが形成されている。この係止部材４０の基端は第２の袋２０の表面に例えばミシン縫いによって固着され、先端よりやや後方の位置（区画４１ｃ）の布材内に抜け止め部材４２が挿入され、この抜け止め部材４２の挿入された布材がドア若しくは窓の開閉部に挟まれて係止されるように構成されているか、又は後述する吊り具に吊されて係止されるように構成されている。布材内に挿入される抜け止め部材４２は、硬質材料を球状又は円柱状に形成したものであり、例えばビー玉を用いても良い。この抜け止め部材４２は、二枚の帯状の布材の間にミシン縫いして封入されている。係止部材４０の先端近傍の区画４１ａには、両側辺がミシン縫いされることにより鍵Ｋを収納する袋状の鍵収納部４４が形成されている。この鍵収納部４４は、鍵Ｋの先端部のみが露出可能な開口部４４ａを有している。鍵Ｋの基端部は、固定部材４３によって鍵収納部４４に回動可能に固定されている。固定部材４３としては、はとめ又は糸を用いることができる。この場合、解錠時に鍵Ｋの基端部を持ち、鍵Ｋの先端部を開口部４４ａから突き出すようにすると共に、開口部４４ａをたくし上げて鍵Ｋの先端部を開口部４４ａから露出させて、解錠を行う。また、係止部材４０の先端近傍の位置にはドア又は窓の内側のノブＮ若しくはハンドルＭに掛かり止めするための弾性リング状部材４５が設けられている。なお、係止部材４０の先端近傍の位置の区画４１ｂ（例えば、先端から２番目の区画）に、鍵Ｋを収納する袋状の鍵収納部４４を形成するようにしても良い（図６参照）。
【００３０】
図６（ａ）はこの区画４１ｂに設けられた袋状の鍵収納部４４内に鍵Ｋが収納されている状態を示しており、図６（ｂ）は鍵収納部４４に収納された鍵Ｋの先端を露出させた状態を示している。図６の構成例においては、係止部材４０の先端の区画４１ａに弾性リング状部材４５が設けられている。この場合、鍵Ｋの基端部は、鍵収納部４４に固定されていないため、鍵Ｋは鍵収納部４４内で移動可能となっている。解錠時に鍵Ｋを移動させ、先端部のみを開口部４４ａから露出させて、解錠を行う。
【００３１】
第３の袋５０は、図２に示すように、受領印（認め印）を押印するための印鑑Ｈを収納するためのものであり、メッシュ状の布材から縫製されてなる。本実施形態において、第３の袋５０の一辺が第１の袋１０と第２の袋２０との連結部にミシン縫いによって取り付けられている。また、第３の袋５０の開口部の付近に印鑑Ｈを止めるための止め紐５１が設けられている。この止め紐５３の基端部はミシン縫いによって上述の連結部に取り付けられており、その先端部は例えば粘着テープ等で印鑑Ｈに固定されている。
【００３２】
次に、この配達物受け取り袋１００の使用方法を説明する。まず、配達物の受取人は、外出する際に、図７に示すように、第１の袋１０が第２の袋２０に収納された状態で、配達物受け取り袋１００を、係止部材４０の先端及び抜け止め部材４２がドアＤの開口部の内側に、第２の袋２０がドアＤの開口部の外側に位置するように設置する。この場合、弾性リング状部材４５をドアＤの内側のノブＮ又はハンドルＭに掛かり止めすることにより、設置が容易になる。
【００３３】
次に、配達員が荷物を配達する際に、第２の袋４０の裏面に印刷された取り扱い方法に従って、第１の袋１０を第２の袋２０から取り出し、配達物Ｐを第１の袋１０内に入れて、第３の袋５０から印鑑Ｈを取り出し受領印を押印した後、第１の袋１０の開口部１１を結束部材２０で結束することにより閉じ、その後、施錠する。これにより、配達が終了する。
【００３４】
受取人は、帰宅した際に、ドアＤを開け、係止部材４０の先端部に収納されている鍵Ｋの先端部を鍵収納部４４から露出させ、施錠されている結束部材３０を解錠し、配達物Ｐを第１の袋１０から取り出すことができる。
【００３５】
以上説明したように、本実施形態において、配達物受け取り袋１００は、配達物を収容するための第１の袋１０と、非使用時に第１の袋１０を収納可能な第２の袋２０と、第１の袋１０内に配達物Ｐを収納した後、その開口部１１を結束により閉じると共に施錠可能にされている結束部材３０と、基端が第２の袋２０に固着され、先端部に抜け止め部材４２が設けられ、ドア若しくは窓の開閉部又は吊り具に係止可能な係止部材４０と、印鑑Ｈを収納する第３の袋５０とを備えている。係止部材４０は、二枚重ねされた柔軟性を有する帯状の布材から構成されており、長さ方向に沿ってミシン縫いによる複数の区画４１ａ、４１ｂ、４１ｃ、４１ｄ及び４１ｅが形成されており、かつ抜け止め部材４２より先端側に解錠用の鍵Ｋの収容部が形成されている。これにより、配達物Ｐがない非使用時はコンパクトに収納でき、開錠用の鍵Ｋを探す手間を省け、かつドア等の外側に簡単に設置することができる。
【００３６】
また、係止部材４０の先端近傍の区画には、両側辺がミシン縫いされている袋状の鍵収納部４４が形成され、鍵収納部４４は鍵の先端部のみが露出可能な開口部４４ａを有していることにより、解錠用の鍵Ｋを係止部材４０に内蔵することができ、カバンの中やポケットの中、又は部屋中で鍵Ｋを探す必要がなく、かつ鍵Ｋによるドア等を傷めることを防ぐことができる。また、解錠する際に鍵の先端部のみを開口部から露出させて解錠操作を容易にすることができる。
【００３７】
さらに、鍵Ｋの基端部が鍵収納部４４に固着されていることにより、鍵収納部４４の開口部４４ａから鍵全体が抜き出すことを防止することができると共に、鍵収納部４４の開口部４４ａを比較的に大きくすることが可能となり、解錠する際に鍵Ｋの先端部をより容易に鍵収納部４４から露出させることができる。
【００３８】
さらにまた、係止部材４０の先端近傍にドア又は窓の内側のノブＮ若しくはハンドルＭに掛かり止めするための弾性リング状部材４５が設けられていることにより、ドア等の外側に簡単に設置することができる。
【００３９】
さらに、受領印を押印するための印鑑Ｈを収納する第３の袋５０を備えていることにより、受領印代わりのシールを用意する必要がなくなる。
【００４０】
図８は本発明の配達物受け取り装置２００の一構成例を示している。図９はこの配達物受け取り装置２００における配達物受け取り袋２１０の構成を示している。
【００４１】
図８に示すように、本構成例の配達物受け取り装置２００は、複数の配達物受け取り袋２１０と、複数の配達物受け取り袋２１０が吊り下げ可能な吊り具２２２を有する棚２２０と、吊り具２２２に着脱可能に装着され、複数の配達物受け取り袋２１０をグループ分けするための仕切り板２３０とを備えている。
【００４２】
複数の配達物受け取り袋２１０の各々は、配達物を収容するための第１の袋１０と、非使用時に折り畳みされた第１の袋１０を収納可能な第２の袋２０と、第１の袋１０内に配達物Ｐを収納した後、その開口部１１を結束により閉じると共に施錠可能にされている結束部材３０と、基端が第２の袋２０に固着され、吊り具２２２に係止可能な係止部材４０Ａと、印鑑Ｈを収納する第３の袋５０とを備えている。図９に示すように、この配達物受け取り袋２１０において、係止部材４０Ａ以外は上述した配達物受け取り袋１００と同様な構成を有しているため、詳細な説明を省略する。
【００４３】
係止部材４０Ａは、二枚重ねされた柔軟性を有する帯状の布材から構成されている。この布材には、長さ方向に沿ってミシン縫いによる複数の区画４１ａ、４１ｂ、４１ｃ及び４１ｄが形成されている。複数の区画４１ａ、４１ｂ、４１ｃ及び４１ｄは、二枚の帯状の布材の間には間隙がそれぞれ設けられており、各間隙に南京錠等の錠杆又は吊り具２２２を挿通可能となっている。図１０（ａ）に示すように、係止部材４０Ａを吊り具２２２に巻き付けて布材間の間隙に南京錠等の錠杆を通し、２つの区画４１ａと４１ｃと連結して締め付けることで、配達物受け取り袋２１０を棚２２０に取り付けることができる。また、図１０（ｂ）に示すように、吊り具２２２を係止部材４０Ａの区画４１ａにおける布材間の間隙に挿通することで、配達物受け取り袋２１０を棚２２０に吊して取り付けることができる。
【００４４】
棚２２０は、木材、樹脂材又は金属材等で形成されている本体部２２１と、木材、樹脂材又は金属材等で形成されており、本体部２２１の上部に配置されている吊り具２２２とを備えている。本体部２２１は、足部２２３と、側板部２２４と、上部板２２５とから構成されている。上部板２２５は、小さい配達物や軽い配達物を載せることができるため、配達物が多い場合有効に利用できる。
【００４５】
仕切り板２３０は、例えば、樹脂材等から形成され、吊り具２２２の任意の位置に着脱可能に装着されている。集合住宅の場合、仕切り板２３０には、例えば、１階、２階・・・等のグループ名が印刷され、各階の複数の配達物受け取り袋２１０をグループ分けする。仕切り板２３０は、必要に応じて複数個を配置することができる。これにより、利用者が各自の配達物の有無を容易に判断できる。
【００４６】
図１１は配達物受け取り装置２００Ａの他の構成例を示している。同図に示すように、この配達物受け取り装置２００Ａにおいて、棚２２０Ａは、二段棚から構成されている。上段の下部には、配達物が収納された第１の袋１０の落下を防止するための落下防止棒２２５が設けられている。
【００４７】
以上説明したように、配達物受け取り装置２００及び２００Ａは、複数の配達物受け取り袋２１０と、複数の配達物受け取り袋２１０が吊り下げ可能な吊り具２２２を有する棚２２０及び２２０Ａと、吊り具２２２に着脱可能に装着され、複数の配達物受け取り袋２１０をグループ分けするための仕切り板２３０とを備えている。これにより、形成された区画を利用して配達物受け取り袋２１０を吊り具２２２に取り付けることができ、低コストでマンション等の集合住宅に設置できる。
【００４８】
また、複数の配達物受け取り袋２１０をグループ分けするための仕切り板２３０を設けることで、マンション等の集合住宅において、各階ごとにグループ分けができ、利用者が各自の配達物の有無を容易に判断できる。
【００４９】
なお、上述した実施形態における配達物受け取り袋１００において、開錠用の鍵Ｋと弾性リング状部材４５はそれぞれの区画に設けられている構成例を説明したが、本発明はこれに限定されるものではない。例えば、図１２に示す配達物受け取り袋１００Ａのように、開錠用の鍵Ｋと弾性リング状部材４５とを同じ区画４１ａに設けても良い。
【００５０】
また、上述した実施形態において、係止部材４０及び４０Ａは、二枚重ねされた柔軟性を有する帯状の布材から構成されている例を説明したが、本発明はこれに限定されるものではない。例えば、図１３に示すように、係止部材４０ａ及び４０ｂは先端部のみが二枚重ねされた柔軟性を有する帯状の布材から構成されても良い。また、係止部材４０ａ及び４０ｂの先端部には長さ方向に沿ってミシン縫いによる複数の区画４１ａ、４１ｂが形成されている。係止部材４０ａ及び４０ｂの基端部は、一枚の帯状の材から構成されている。図１３中（ａ）は玄関ドア用の配達物受け取り袋の係止部材４０ａを示しており、この例では、抜け止め部材が帯状の布材を結びしてできた結び瘤である。（ｂ）は集合住宅用の配達物受け取り袋の係止部材４０ｂを示している。この場合、基端部側に穴ｈが設けられている。配達物受け取り装置２００又は２００Ａの吊り具２２２に設置する際に、ナンバー錠等で穴ｈと係止部材４０ｂの先端とを連結し施錠することができる。また、複数の区画４１ａ、４１ｂが形成されているため、吊り具２２２の太さによって施錠する際に錠杆を挿通する場所（区画）を選択することができる。
【００５１】
また、上述した実施形態において、配達物受け取り装置２００及び２００Ａに使用される配達物受け取り袋２１０は、１本の係止部材４０Ａを有する構成例を説明したが、本発明はこれに限定されるものではない。例えば、図１４に示すように、第２の袋２０に２本の係止部材を設け、それぞれの先端部を錠で連結するように構成されても良い。図１４（ａ）は、配達物受け取り袋２１０Ａの構成を示しており、配達物受け取り袋２１０Ａには、比較的に短い係止部材４０Ｂが設けられている。吊り具２２２に設置する際に、例えば先端部をナンバー錠Ｌ１で連結し施錠することで、鍵不要で取り外し可能である。また、図１４（ｂ）は配達物受け取り袋２１０Ｂの構成を示しており、配達物受け取り袋２１０Ｂには、比較的に長い係止部材４０Ｃが設けられている。この場合、配達物受け取り袋２１０Ａ及び２１０Ｂが吊り具２２２に直角方向になりきれいに配列され、多く吊るすことができる。これら配達物受け取り袋２１０Ａと２１０Ｂを用いることで、より多くの配達物受け取り袋を吊り具２２２に設置することができる。
【００５２】
また、図１４に示す配達物受け取り袋２１０Ａ及び２００Ｂには、鍵収納部４４を設け、解錠用の鍵Ｋを収納するようにしても良い。例えば、図１５に示すように、係止部材４０Ｄの先端部に片側辺がミシン縫いされ、対向する側に２層の帯状の布材のそれぞれにボタンホール４６を設けることにより鍵Ｋを収納する袋状の鍵収納部４４が形成されている。この鍵収納部４４は、鍵Ｋの先端部のみが露出可能な開口部４４ａを有している。また、鍵Ｋの基端部は、固定部材４３によって鍵収納部４４に回動可能に固定されている。この場合、吊り具２２２に設置する際に、ナンバー錠Ｌ１でボタンホール４６ともう１本の係止部材の先端とを連結し施錠することで、鍵Ｋが使用不可になり、盗難を防ぐことができる。図１５（ａ）は係止部材４０Ｄの先端部を示しており、同図（ｂ）は配達物受け取り袋２１０Ｃを吊り具２２２に設置した状態を示している。受取人が配達物Ｐを第１の袋１０から取り出す際に、まず、ナンバー錠Ｌ１を解錠し、鍵Ｋの先端部を鍵収納部４４から露出させ、結束部材３０の錠（南京錠）Ｌを解錠した後、配達物Ｐを取り出すことができる。なお、係止部材４０Ｄにおいて、ボタンホール４６の代わりに、２層の帯状の布材のそれぞれに丸い穴を設けても良い。
【００５３】
また、上述した実施形態における配達物受け取り袋１００において、開錠用の鍵Ｋは、係止部材４０に形成された鍵収納部４４に収納されている構成例を説明したが、本発明はこれに限定されるものではない。例えば、紐や金属リングなどで係止部材４０の先端部に吊り下げても良い。
【００５４】
また、上述した実施形態において、配達物受け取り袋１００、２１０、２１０Ａ、２１０Ｂ及び２１０Ｃの第１の袋１０の材質は、柔軟性を有する素材のシート（例えば、布材シート）であると記載したが、配達物Ｐを収容して保持可能な強度を有するものであればどのようなシートであっても良い。シート以外の柔軟性を有する材料で構成しても良い。また、防水シート、伸縮性シート、保温シート等で構成することもできる。第１の袋１０を伸縮性シートによって形成する場合、配達物Ｐを収容しないときや、小さな配達物Ｐを収容したときは小さく、大きな配達物Ｐを収容したときには大きくなる。また、第１の袋１０を保温シートによって形成する場合、配達物Ｐが例えば冷凍品、冷蔵品等であった場合にもその温度を損ないにくく、長時間配達物の変質が防止される。なお、ドライアイス等を配達物Ｐと一緒に収容しておくことも可能である。
【００５５】
また、上述した実施形態において、第１の袋１０は、施錠手段として、開口部１１を結束により閉じると共に施錠可能に構成されている結束部材３０を有する例を説明したが、本発明はこれに限定されるものではない。例えば、図１６に示すように、第１の袋１０Ａは開口部１１Ａに線ファスナー（ジッパー）３０Ａを設け、施錠可能にするように構成されても良い。なお、開口部１１Ａの位置は適宜に設計できる。
【００５６】
また、上述した実施形態において、第１の袋１０は、１個の配達物Ｐを収容する例を説明したが、本発明はこれに限定されるものではない。例えば、第１の袋１０の複数箇所に保持部１２を形成し、この各々の保持部１２に結束部材３０を挿通し、各結束部材３０が施錠されるようにしても良い。
【００５７】
以上述べた実施形態は全て本発明を例示的に示すものであって限定的に示すものではなく、本発明は他の種々の変形態様及び変更態様で実施することができる。従って本発明の範囲は発明請求の範囲及びその均等範囲によってのみ規定されるものである。
【産業上の利用可能性】
【００５８】
本発明は、宅配された時不在であっても配達物を受け取ることができるように、再配達を繰り返して時間と労力のロスが増大する問題を解決する目的に利用できる。
【符号の説明】
【００５９】
１０、１０Ａ  第１の袋
１１、１１Ａ、２１  開口部
１２  保持部
１３  開口
２０  第２の袋
２２  蓋部
２３ａ  ホックボタンの凹部
２３ｂ  ホックボタンの凸部
２４  表示部
３０  結束部材
３０Ａ  線ファスナー（ジッパー）
４０、４０ａ、４０ｂ、４０Ａ、４０Ｂ、４０Ｃ、４０Ｄ  係止部材
４１ａ、４１ｂ、４１ｃ、４１ｄ、４１ｅ  区画
４２、４２ａ  抜け止め部材
４３  固定部材
４４  鍵収納部
４４ａ  開口部
４５  弾性リング状部材
４６  ボタンホール
５０  第３の袋
５１  止め紐
１００、２１０、２１０Ａ、２１０Ｂ、２１０Ｃ  配達物受け取り袋
２００、２００Ａ  配達物受け取り装置
２２０  棚
２２１  本体部
２２２  吊り具
２２３  足部
２２４  側板部
２２５  上部板
２３０  仕切り板
Ｄ  ドア
ｈ  穴
Ｈ  印鑑
Ｋ  鍵
Ｌ  南京錠
Ｌ１  ナンバー錠
Ｍ  ハンドル
Ｎ  ノブ
Ｐ  配達物
【図１】
2019063338.tif 000003
【図２】
2019063338.tif 000004
【図３】
2019063338.tif 000005
【図４】
2019063338.tif 000006
【図５】
2019063338.tif 000007
【図６】
2019063338.tif 000008
【図７】
2019063338.tif 000009
【図８】
2019063338.tif 000010
【図９】
2019063338.tif 000011
【図１０】
2019063338.tif 000012
【図１１】
2019063338.tif 000013
【図１２】
2019063338.tif 000014
【図１３】
2019063338.tif 000015
【図１４】
2019063338.tif 000016
【図１５】
2019063338.tif 000017
【図１６】
2019063338.tif 000018